(57)【要約】【課題】光学補償に適用することができ、且つ取り扱いを容易にする。【解決手段】位相差板（２０１）は、液晶装置に用いられる位相差板であって、光が透過する光透過領域（３００）を有する結晶板（２１１）と、該結晶板を、光透過領域の周囲において支持すると共に光透過領域に対向する領域に開口部（２１２ｗ）が設けられているフレーム（２１２）とを備え、結晶板は、フレームにおける開口部に対向して配置されている。【選択図】図３
2008181050.tif 000002
【特許請求の範囲】
【請求項１】
液晶装置に用いられる位相差板であって、
光が透過する光透過領域を有する結晶板と、
該結晶板を、前記光透過領域の周囲において支持すると共に前記光透過領域に対向する領域に開口部が設けられているフレームと
を備え、
前記結晶板は、前記フレームにおける前記開口部に対向して配置されている
ことを特徴とする位相差板。
【請求項２】
液晶装置に用いられる位相差板であって、
光が透過する光透過領域を有する結晶板と、
該結晶板を、前記光透過領域の周囲において挟持すると共に前記光透過領域に対向する領域に開口部が設けられている一対のフレームと
を備えることを特徴とする位相差板。
【請求項３】
液晶装置に用いられる位相差板であって、
光が透過する光透過領域を有する結晶板と、
該結晶板を、前記光透過領域の周囲において収容すると共に前記光透過領域に対向する領域に開口部が設けられているケースと
を備えることを特徴とする位相差板。
【請求項４】
前記開口部は、前記光透過領域より大きく、前記結晶板における前記開口部に対向する領域の内縁と前記光透過領域の外縁との間には、光が透過しない領域が設けられている
ことを特徴とする請求項１乃至３のいずれか一項に記載の位相差板。
【請求項５】
前記結晶板は、負の一軸性結晶を含んでなり、
前記結晶板の厚さは、３０μｍ〜６０μｍである
ことを特徴とする請求項１乃至４のいずれか一項に記載の位相差板。
【請求項６】
前記結晶板は、正の一軸性結晶を含んでなり、
前記結晶板の厚さは、５μｍ〜２０μｍであり、
前記結晶板の表面は、前記正の一軸性結晶の光軸に対して４０度〜７０度傾いている
ことを特徴とする請求項１乃至４のいずれか一項に記載の位相差板。
【請求項７】
請求項１乃至６のいずれか一項に記載の位相差板を備えることを特徴とする液晶装置。
【請求項８】
請求項１乃至６のいずれか一項に記載の位相差板を備えることを特徴とするプロジェクタ。
【発明の詳細な説明】
【技術分野】
【０００１】
本発明は、例えば、液晶ライトバルブ等の液晶装置に用いられる位相差板、並びにこれを備えた液晶装置及びプロジェクタに関する。
【背景技術】
【０００２】
この種の位相差板を備える液晶装置は、例えば、液晶プロジェクタのライトバルブに用いられており、位相差板を結晶板で構成することにより、耐光性や耐熱性の向上が図られる。例えば、特許文献１には、透過型の液晶パネルを挟むように配置された、１／４波長位相差機能を有した複屈折性結晶からなる一対の位相差板を備える液晶表示装置が記載されている。
【０００３】
【特許文献１】特開２００５−６２７８７号公報
【発明の開示】
【発明が解決しようとする課題】
【０００４】
しかしながら、複屈折性結晶からなる位相差板によって例えば、液晶の光学補償を行う（即ち、位相差板を光学補償板として用いる）場合、位相差板の厚さを薄くしなければならない。すると、位相差板の物理的な強度が小さくなり、取り扱いが困難になるという技術的問題点がある。
【０００５】
本発明は、例えば、上述の問題点に鑑みてなされたものであり、光学補償に適用することができ、且つ取り扱いが容易な位相差板、並びにこれを備えた液晶装置及びプロジェクタを提供することを課題とする。
【課題を解決するための手段】
【０００６】
本発明の第１の位相差板は、上記課題を解決するために、液晶装置に用いられる位相差板であって、光が透過する光透過領域を有する結晶板と、該結晶板を、前記光透過領域の周囲において支持すると共に前記光透過領域に対向する領域に開口部が設けられているフレームとを備え、前記結晶板は、前記フレームにおける前記開口部に対向して配置されている。
【０００７】
本発明の第１の位相差板は、例えば、液晶装置が備える液晶パネルの光入射側及び光出射側の少なくとも一方に配置される位相差板である。液晶装置の動作時に、例えば表示光或いは投射光などの電気光学動作用の光が透過すると、位相差板は、当該液晶パネルの液晶に起因する光の位相差を補償する。
【０００８】
ここで本発明では特に、液晶に起因する光の位相差を補償する結晶板が、フレームにおける開口部に対向して配置されている。典型的には、結晶板が接着樹脂等によってフレームに貼り付けられている。
【０００９】
ここで本発明に係る「光透過領域の周囲において」とは、典型的には、結晶板とフレームとが重なっている領域における光の当たらない領域においてという意味である。従って、結晶板及びフレームを貼り合せている接着樹脂等に光が当たることはない。
【００１０】
開口部は、典型的には、光透過領域よりも大きくなるように形成されているが、例えば、光に起因する熱によるフレームの熱膨張の影響、例えば歪み等、が極めて小さい場合は、光透過領域より小さくしてもよい。この場合にも、接着樹脂等に光が当たらないように、結晶板及びフレームを貼り合わせている。尚、開口部の形状は、典型的には矩形であるが、円形又は多角形であってもよい。
【００１１】
このような結晶板は、例えばサファイアや水晶等である結晶を、該結晶の光軸に対して所定の角度だけ傾けて切断し、所定の厚さになるように研磨して形成すればよい。具体的には、結晶板における想定屈折率楕円体の長軸方向と液晶のプレティルトの軸方向（即ち、液晶装置の非駆動時における配向膜に接する箇所での液晶分子の長軸方向）とが交わるように傾けて、好ましくは直交するように結晶を切断し、液晶のリタデーション（Δｎ・ｄ）に基づいて定められる厚さになるように切断した結晶を研磨して形成すればよい。
【００１２】
本願発明者の研究によれば、一般に、結晶板を用いて液晶に起因する光の位相差を補償する場合、結晶板の厚さを、例えば数μｍ〜数十μｍにしなければならない。すると、結晶板の物理的な強度が小さくなるので、結晶板単体で取り扱うことが非常に困難になる。一方、結晶板の物理的な強度を補うために、支持基板として石英基板等に接着樹脂を用いて貼り合わせると、接着樹脂の放熱性の悪さ等によって、位相差板全体としての耐光性等が劣化してしまう。特に、液晶プロジェクタ等では、極めて強力な投射光にさらされるため、接着樹脂の影響が顕著であることが判明している。
【００１３】
しかるに本発明では、結晶板は、光透過領域に対向する領域に開口部が設けられているフレームに貼り付けられており、光透過領域内には接着樹脂等の樹脂材料が存在していない。従って、接着樹脂等の光による劣化、又は光に起因する熱による劣化を回避することができる。更に、フレームによって結晶板を支持しているので、物理的な強度を確保することができ、比較的容易にして位相差板を取り扱うことが可能となる。
【００１４】
加えて、フレームの開口部が、光透過領域より大きい場合は、フレームを形成する材質の制限が少なくなり、液晶装置等の構成や使用環境等の条件に応じて、材質を選択することができるので、コストの削減、耐熱性の向上、熱による変形の防止等も図ることが可能となる。
【００１５】
以上の結果、本発明の第１の位相差板によれば、光学補償に適用することができ、且つ取り扱いを容易にすることができる。
【００１６】
尚、フレームの一の表面とは反対側の表面にも結晶板が配置されていてもよい。即ち、位相差板が、２枚の結晶板を備えていてもよい。
【００１７】
本発明の第２の位相差板は、上記課題を解決するために、液晶装置に用いられる位相差板であって、光が透過する光透過領域を有する結晶板と、該結晶板を、前記光透過領域の周囲において挟持すると共に前記光透過領域に対向する領域に開口部が設けられている一対のフレームとを備える。
【００１８】
本発明の第２の位相差板によれば、液晶に起因する光の位相差を補償する結晶板は、光透過領域に対向する領域に開口部が設けられている一対のフレームに狭持されている。結晶板は、接着樹脂等によってフレームに貼り付けられていてもよいし、例えば、ネジやコの字型の固定部材等によって、一対のフレームと共に挟み込まれていてもよい。尚、結晶板及び一対のフレーム間には、緩衝材として、例えば樹脂フィルム等が存在していてもよい。この場合には、樹脂フィルム等に光が当たらないように、樹脂フィルム等を配置している。
【００１９】
本発明の第２の位相差板では、フレームの開口部が光透過領域より大きくなるように形成されている、又は、フレームの開口部が光透過領域より小さい場合であっても、例えば、接着樹脂や樹脂フィルム等に光が当たらないようになっている。従って、接着樹脂等の光による劣化、又は光に伴う熱による劣化を回避することができる。更に、フレームによって結晶板を狭持しているので、物理的な強度を確保することができ、比較的容易にして位相差板を取り扱うことが可能となる。
【００２０】
本発明の第３の位相差板は、上記課題を解決するために、液晶装置に用いられる位相差板であって、光が透過する光透過領域を有する結晶板と、該結晶板を、前記光透過領域の周囲において収容すると共に前記光透過領域に対向する領域に開口部が設けられているケースとを備える。
【００２１】
本発明の第３の位相差板によれば、液晶に起因する光の位相差を補償する結晶板は、光透過領域に対向する領域に開口部が設けられているケースに収容されている。尚、結晶板及びケース間には、隙間材又は緩衝材として、例えば樹脂フィルム等が存在していてもよい。この場合には、樹脂フィルム等に光が当たらないように、樹脂フィルム等を配置している。
【００２２】
本発明の第３の位相差板では、ケースの開口部が光透過領域より大きくなるように形成されている、又は、ケースの開口部が光透過領域より小さい場合であっても、例えば、樹脂フィルム等に光が当たらないようになっている。従って、樹脂フィルム等の光による劣化、又は光に伴う熱による劣化を回避することができる。更に、ケースに結晶板を収容しているので、物理的な強度を確保することができ、比較的容易にして位相差板を取り扱うことが可能となる。
【００２３】
本発明の第１乃至第３位相差板の一態様では、前記開口部は、前記光透過領域より大きく、前記結晶板における前記開口部に対向する領域の内縁と前記光透過領域の外縁との間には、光が透過しない領域が設けられている。
【００２４】
この態様によれば、確実にフレーム又はケースに光が当たることを回避することができる。従って、樹脂フィルム等の光による劣化、又は光に伴う熱による劣化を確実に回避することが可能となる。
【００２５】
本発明の第１乃至第３の位相差板の他の態様では、前記結晶板は、負の一軸性結晶を含んでなり、前記結晶板の厚さは、３０μｍ〜６０μｍである。
【００２６】
この態様によれば、当該液晶装置の液晶が垂直配向型の液晶、即ち、ＶＡ（Ｖｅｒｔｉｃａｌ  Ａｌｉｇｎｍｅｎｔ）型液晶である場合に、液晶に起因する光の位相差を補償することができる。
【００２７】
例えば、サファイアである負の一軸性結晶を含んでなる結晶板において、結晶の光軸は、結晶板の表面に対して、例えば４度〜５度、液晶のプレティルトに応じて傾いている。また、結晶板の厚さは、液晶のリタデーションに応じて定められており、３０μｍ〜６０μｍである。ここに本発明に係る「結晶板の厚さ」とは、結晶板における光の入射方向に沿う方向の距離を意味する。
【００２８】
本発明の第１乃至第３の位相差板の他の態様では、前記結晶板は、正の一軸性結晶を含んでなり、前記結晶板の厚さは、５μｍ〜２０μｍであり、前記結晶板の表面は、前記正の一軸性結晶の光軸に対して４０度〜７０度傾いている。
【００２９】
この態様によれば、当該液晶装置の液晶がＴＮ（Ｔｗｉｓｔｅｄ  Ｎｅｍａｔｉｃ）型の液晶である場合に、液晶に起因する光の位相差を補償することができる。
【００３０】
例えば、水晶である正の一軸性結晶を含んでなる結晶板において、結晶の光軸は、結晶板の表面に対して、４０度〜７０度、液晶のプレティルトに応じて傾いている。また、結晶板の厚さは、液晶のリタデーションに応じて定められており、５μｍ〜２０μｍである。
【００３１】
本発明の液晶装置は、上記課題を解決するために、上述した本発明の位相差板（但し、その各種態様を含む）を備える。
【００３２】
本発明に係る液晶装置によれば、上述した本発明に係る位相差板を具備してなるので、耐光性や耐熱性等の光学特性に優れ、高品位の表示性能を有する液晶装置を提供することができる。
【００３３】
本発明のプロジェクタは、上記課題を解決するために、上述した本発明の位相差板（但し、その各種態様を含む）を備える。
【００３４】
本発明に係るプロジェクタによれば、上述した本発明に係る位相差板を具備してなるので、耐光性や耐熱性等の光学特性に優れ、高品位の表示性能を有するプロジェクタを提供することができる。
【００３５】
本発明の作用及び他の利得は次に説明する実施するための最良の形態から明らかにされよう。
【発明を実施するための最良の形態】
【００３６】
以下、本発明の実施形態を図面に基づいて説明する。
【００３７】
＜第１実施形態＞
本発明の液晶装置に係る第１実施形態を、図１乃至図５を参照して説明する。
【００３８】
（液晶パネル）
先ず、図１及び図２を参照して本実施形態に係る液晶装置を構成する液晶パネルについて説明する。本実施形態に係る液晶装置は、液晶プロジェクタ等の投射型表示装置のライトバルブに用いられる液晶装置である。ここに図１は、ＴＦＴ（Ｔｈｉｎ  Ｆｉｌｍ  Ｔｒａｎｓｉｓｔｏｒ）アレイ基板をその上に形成された各構成要素と共に対向基板の側からみた平面図であり、図２は、図１のＨ−Ｈ´線断面図である。尚、以下で参照する各図においては、各層や各部材を図面上で認識可能な程度の大きさとするため、各層や各部材ごとに縮尺を異ならしめてある。
【００３９】
図１及び図２において、本実施形態の液晶パネル１００では、ＴＦＴアレイ基板１０及び対向基板２０が対向配置されている。ＴＦＴアレイ基板１０は、例えば、石英基板、ガラス基板、シリコン基板等の透明基板からなり、対向基板２０は、例えば、石英基板、ガラス基板等の透明基板からなる。ＴＦＴアレイ基板１０と対向基板２０との間に液晶層５０が封入されており、ＴＦＴアレイ基板１０と対向基板２０とは、複数の画素が設けられた領域に対応する画像表示領域１０ａの周囲に位置するシール領域に設けられたシール材５２により相互に接着されている。
【００４０】
シール材５２は、両基板を貼り合わせるための、例えば紫外線硬化樹脂や熱硬化樹脂、又は紫外線・熱併用型硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、ギャップ）を所定値とするためのグラスファイバ或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００４１】
図１において、シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４２】
周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路７が額縁遮光膜５３に覆われるようにして設けられている。走査線駆動回路１０４は、この一辺に隣接する２辺に沿ったシール領域の内側に、額縁遮光膜５３に覆われるようにして設けられている。
【００４３】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。更に、外部回路接続端子１０２と、データ線駆動回路１０１、走査線駆動回路１０４、上下導通端子１０６等とを電気的に接続するための引回配線９０が形成されている。
【００４４】
図２において、ＴＦＴアレイ基板１０上には、駆動素子である画素スイッチング用のＴＦＴや走査線、データ線等の配線が作り込まれた積層構造が形成される。この積層構造の詳細な構成については図２では図示を省略してあるが、この積層構造の上に、ＩＴＯ等の透明材料からなる画素電極９ａが、画素毎に所定のパターンで島状に形成されている。
【００４５】
画素電極９ａは、後述する対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００４６】
対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域がバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００４７】
遮光膜２３上に、ＩＴＯ等の透明材料からなる対向電極２１が複数の画素電極９ａと対向して形成されている。遮光膜２３上に、画像表示領域１０ａにおいてカラー表示を行うために、開口領域及び非開口領域の一部を含む領域に、図２には図示しないカラーフィルタが形成されるようにしてもよい。対向基板２０の対向面上における、対向電極２１上には、配向膜２２が形成されている。
【００４８】
液晶層５０は、誘電率異方性が負である液晶分子を含んで構成されている。従って、液晶装置は、垂直配向（ＶＡ）モードで液晶分子の配向が制御される液晶装置である。尚、本発明に係る液晶装置は、誘電率異方性が負である液晶分子を有する液晶装置に限定されるものではなく、例えば、一種又は数種のネマティック液晶を混合した液晶からなり、これら一対の配向膜１６及び２２間で、所定の配向状態をとる液晶装置であってもよい。
【００４９】
尚、図１及び図２に示したＴＦＴアレイ基板１０上には、これらのデータ線駆動回路１０１、走査線駆動回路１０４等に加えて、画像信号線上の画像信号をサンプリングしてデータ線に供給するサンプリング回路７、複数のデータ線に所定電圧レベルのプリチャージ信号を画像信号に先行して各々供給するプリチャージ回路、製造途中や出荷時の当該液晶装置の品質、欠陥等を検査するための検査回路等を形成してもよい。
【００５０】
（位相差板）
次に、本実施形態に係る位相差板について、図３乃至図５を参照して説明する。ここに図３は、本実施形態に係る位相差板の斜視図であり、図４は、本実施形態に係る位相差板の（ａ）断面図及び（ｂ）正面図である。
【００５１】
図３及び図４において、位相差板２０１は、例えば、サファイア等の負の一軸結晶を含んでなる結晶板２１１と、該結晶板２１１を光透過領域３００（図４（ｂ）における一点鎖線の内側の領域）の周囲において支持すると共に、光透過領域３００に対向する領域に開口部２１２ｗが設けられているフレーム２１２とを備えて構成されている。結晶板２１１は、典型的には、接着樹脂等によりフレーム２１２の表面２１２ａに貼り付けられている。これにより、比較的容易にして位相差板を扱うことができる。
【００５２】
図４（ｂ）に示すように、開口部２１２ｗは、光透過領域３００より大きくなるように形成されている。従って、結晶板２１１における、開口部２１２ｗに対向する領域の内縁と光透過領域３００の外縁との間（即ち、図４（ｂ）における斜線部分）には、光は透過しない。従って、結晶板２１１及びフレーム２１２を貼り合わせている接着樹脂等に光が当たらない。これにより、接着樹脂等の光による劣化、又は光に伴う熱による劣化を回避することができ、位相差板２０１の耐光性や耐熱性等の光学特性の劣化を低減することが可能となる。
【００５３】
ここで、結晶板２１１について図５を参照して説明を加える。ここに図５は、結晶板２１１における結晶の光軸等を示す概念図である。
【００５４】
図５において、結晶板２１１を構成する結晶の光軸２１１１は、結晶板２１１の表面２１１ｃに対して、角度θだけ傾いている。角度θの大きさは、例えば４度〜５度であり、配向膜１６又は２２が、液晶層５０の液晶分子に与えるプレティルトに応じている。また、結晶板の厚さｄは、３０μｍ〜６０μｍであり、液晶層５０におけるリタデーションに基づいて、例えば、所定の演算式によって算出される、或いは、シミュレーションにより求められる。これによりＶＡ型液晶である液晶層５０に起因する光の位相差を補償することができる。尚、図５では、説明の便宜上、角度θを実際より大きくなるように図示している。
【００５５】
このような位相差板２０１は、液晶装置が備える液晶パネル１００の光入射側及び光出射側の少なくとも一方に配置される。尚、液晶装置が、複数枚の位相差板２０１を有する場合、位相差板２０１が、液晶パネル１００の光入射側及び光出射側の夫々に配置されなくてもよく、液晶パネル１００の光入射側及び光出射側のうち一方の側のみに配置されていてもよい。
【００５６】
尚、位相差板は、図６に示すように、フレーム２１２の両側に、２枚の結晶板２１１ａ及び２１１ｂを有していてもよい。ここに図６は、本実施形態に係る位相差板の応用例の断面図である。
【００５７】
以上の結果、本実施形態に係る液晶装置によれば、負の一軸性結晶を含んでなる結晶板を有する位相差板を備えているので、耐光性及び耐熱性を向上させることができる。加えて、位相差板の取り扱いが比較的容易であるので、位相差板の配置精度を向上させることができ、高品位の表示性能をえることが可能となる。更に、位相差板の配置作業時間の短縮を図ることもできる。
【００５８】
（位相差板の第１変形例）
次に、図７を参照して位相差板の第１変形例を説明する。図７は、図４と同趣旨の、第１実施形態に係る位相差板の第１変形例の断面図である。図７において、位相差板２０２は、結晶板２１１と、該結晶板２１１を、光透過領域の周囲において狭持すると共に、光透過領域に対向する領域に開口部２２１ｗが設けられている一対のフレーム２２１ａ及び２２１ｂとを備える。
【００５９】
（位相差板の第２変形例）
次に、図８を参照して位相差板の第２変形例を説明する。図８は、図４と同趣旨の、第１実施形態に係る位相差板の第２変形例の断面図である。図８において、位相差板２０３は、結晶板２１１と、該結晶板２１１を光透過領域の周囲において収容すると共に、光透過領域に対向する領域に開口部２３１ｗが設けられているケース２３１とを備える。
【００６０】
＜第２実施形態＞
本発明の液晶装置に係る第２実施形態では、液晶層における液晶分子の配向状態が異なり、それに伴い位相差板が備える結晶板が異なる以外は、第１実施形態と同様である。よって、第２実施形態について、第１実施形態と重複する説明を省略する。
【００６１】
本実施形態の液晶装置の液晶はＴＮ型液晶である。即ち、第１実施形態の図２における液晶層５０の液晶分子が、配向膜１６及び２２間でＴＮ配向されている。このようなＴＮ配向されている液晶に起因する光の位相差を補償するために、本実施形態の位相差板が備える結晶板は、例えば水晶等である正の一軸性結晶を含んでなる。
【００６２】
本実施形態の結晶板の厚さは、５μｍ〜２０μｍであり、結晶板の表面は、結晶の光軸に対して、４０度〜７０度傾いている。即ち、第１実施形態の図５における、結晶板２１１の厚さｄは、５μｍ〜２０μｍであり、角度θの大きさは、４０度〜７０度である。これにより、ＴＮ型液晶である液晶に起因する光の位相差を補償することができる。
【００６３】
以上の結果、本実施形態に係る液晶装置によれば、正の一軸性結晶を含んでなる結晶板を有する位相差板を備えているので、耐光性及び耐熱性を向上させることができる。加えて、位相差板の取り扱いが比較的容易であるので、位相差板の配置精度を向上させることができ、高品位の表示性能をえることが可能となる。更に、位相差板の配置作業時間の短縮を図ることもできる。
【００６４】
＜プロジェクタ＞
次に、図９を参照しながら、上述した液晶装置をプロジェクタに適用した場合を説明する。上述した液晶装置は、プロジェクタのライトバルブとして用いられている。図９は、プロジェクタの構成例を示す平面図である。図９に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００６５】
液晶パネル１１１０Ｒ、１１１０Ｂおよび１１１０Ｇの構成は、上述した液晶装置と同等の構成を有しており、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００６６】
ここで、各液晶パネル１１１０Ｒ、１１１０Ｂおよび１１１０Ｇによる表示像について着目すると、液晶パネル１１１０Ｒ、１１１０Ｂによる表示像は、液晶パネル１１１０Ｇによる表示像に対して左右反転することが必要となる。
【００６７】
尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００６８】
尚、本発明は、上述した実施形態に限られるものではなく、請求の範囲及び明細書全体から読み取れる発明の要旨、或いは思想に反しない範囲で適宜変更可能であり、そのような変更を伴う位相差板、並びにこれを備えた液晶装置及びプロジェクタもまた、本発明の技術的範囲に含まれるものである。
【図面の簡単な説明】
【００６９】
【図１】第１実施形態に係る液晶装置を各構成要素と共に対向基板側から見た平面図である。
【図２】図１のＨ−Ｈ´線断面図である。
【図３】第１実施形態に係る位相差板の斜視図である。
【図４】第１実施形態に係る位相差板の（ａ）断面図及び（ｂ）正面図である。
【図５】第１実施形態に係る結晶板における結晶の光軸等を示す概念図である。
【図６】第１実施形態に係る位相差板の応用例の断面図である。
【図７】第１変形例に係る位相差板の断面図である。
【図８】第２変形例に係る位相差板の断面図である。
【図９】プロジェクタの構成例を示す平面図である。
【符号の説明】
【００７０】
７…サンプリング回路、９ａ…画素電極、１０…ＴＦＴアレイ基板、１０ａ…画像表示領域、２０…対向基板、２１…対向電極、２３…遮光膜、１６，２２…配向膜、５０…液晶層、５２…シール材、５３…額縁遮光膜、９０…引回配線、１００…液晶装置、１０１…データ線駆動回路、１０２…外部回路接続端子、１０４…走査線駆動回路、１０６…上下導通端子、１０７…上下導通材、２０１…位相差板、２１１…結晶板、２１２…フレーム、３００…光透過領域
【図１】
2008181050.tif 000003
【図２】
2008181050.tif 000004
【図３】
2008181050.tif 000005
【図４】
2008181050.tif 000006
【図５】
2008181050.tif 000007
【図６】
2008181050.tif 000008
【図７】
2008181050.tif 000009
【図８】
2008181050.tif 000010
【図９】
2008181050.tif 000011